(57)【要約】【課題】色素レシーバ上に線欠陥が印刷されないようにする。【解決手段】色素転写プリンタにおいて、連続した複数の色素転写領域と前記色素転写領域の各一つに沿った対向する長手方向端領域とを有するドナーウェブに、前記ドナーウェブが前記プリンタに送られると、長手方向の張力が印加される。この長手方向の張力は、色素転写領域を、端領域以上に引き伸ばすことができる。これは、色素転写領域がプリントヘッドで加熱されるが、端領域は加熱されないためである。本発明によれば、端領域が色素転写領域と実質的に同じだけ引き伸ばされることができるように、端領域の伸張に対する抵抗を色素転写領域に対して弱くする。使用されている色素転写領域の端に沿った端領域が色素転写領域と実質的に同じだけ引き伸ばされると、次の未使用の転写領域に何らかのしわが形成される可能性が、実質的に低減される。【選択図】図１１
2004098680.tif 000002
【特許請求の範囲】
【請求項１】
　色素転写プリンタであって、
　連続した複数の色素転写領域と前記色素転写領域の各一つの端に沿った対向した長手方向端領域とを有するドナーウェブに、前記ドナーウェブが前記プリンタに送られると長手方向の張力が印加され、
　前記色素転写領域はプリントヘッドで加熱されるが前記端領域は加熱されないために、前記色素転写領域を、前記端領域を越えて引き伸ばすことができ、
　ウェブ弱化アプリケータが、前記端領域の伸張に対する抵抗を前記色素転写領域に対して弱くするように位置されており、前記色素転写領域のみが加熱されるにもかかわらず、前記端領域が前記色素転写領域と実質的に同じだけ引き伸ばされることができることを特徴とする色素転写プリンタ。
【請求項２】
　色素転写プリンタであって、
　連続した複数の色素転写領域と前記色素転写領域の各一つの端に沿った対向した長手方向端領域とを有するドナーウェブに、前記ドナーウェブが前記プリンタに送られると長手方向の張力が印加され、
　前記色素転写領域はプリントヘッドで加熱されるが前記端領域は加熱されないために、前記色素転写領域を、前記端領域を越えて引き伸ばすことができ、
　ウェブガイドが前記ドナーガイドを横切って伸びるように位置されており、前記端領域にはミシン目を入れるか又は孔を開けるが前記色素転写領域には開けずに、前記端領域を前記色素転写領域に対して十分に弱くするようにして、前記端領域が前記色素転写領域と実質的に同じだけ引き伸ばされることができることを特徴とする色素転写プリンタ。
【請求項３】
　色素転写プリンタにおけるウェブ伸張を均等化する方法であって、
　連続した複数の色素転写領域と前記色素転写領域の各一つの端に沿った対向する長手方向端領域とを有するドナーウェブに、前記ドナーウェブが前記プリンタに送られると長手方向の張力が印加され、
　前記色素転写領域はプリントヘッドで加熱されるが前記端領域は加熱されないために、前記色素転写領域を前記端領域以上に引き伸ばすことができ、
　前記色素転写領域のみが加熱されるにもかかわらず、前記端領域が前記色素転写領域と実質的に同じだけ引き伸ばされることができるように、前記端領域の伸張に対する抵抗を前記色素転写領域に対して弱めるステップを包含することを特徴とする方法。
【発明の詳細な説明】
【技術分野】
【０００１】
　本発明は、一般的には、サーマルプリンタのような色素転写プリンタに関しており、特に、プリンタ内で使用されるドナーウェブの色素転写領域におけるしわ（crease）の形成の問題に関している。色素転写領域におけるしわの形成は、望まれない線欠陥が色素レシーバ上に印刷される結果となり得る。
【背景技術】
【０００２】
　サーマルプリンタにて使用される典型的な多色ドナーウェブは非常に薄く、イエロー色部分、マゼンタ色部分、及びシアン色部分のような３つの異なる色部分又はパッチの反復した連続部を有している。
【０００３】
　ドナーウェブの各々の色部分は、色素転写印刷に使用される色素転写領域とその転写領域の端に沿っているが印刷には使用されない一対の長手方向端領域とからなっている。色素転写領域はウェブ幅の約９５％であり、２つの端領域はそれぞれウェブ幅の約２．５％である。
【０００４】
　プリントを作成するために、ドナーウェブ上の単一列のイエロー、マゼンタ、及びシアン色部分の色素転写領域におけるさまざまな色の色素が、プリントヘッドによって、紙又は透明シート又はロールのような色素レシーバの上に連続的に熱転写される。各転写領域から色素レシーバまでの色素の転写は、転写領域を横切る幅方向に線毎に、プリントヘッド上の選択的に加熱される抵抗性要素であるビードを介して行われる。プリントヘッドは、色部分の幅全体を横切って線接触するが、色素転写領域を加熱するのみである。すなわち、プリントヘッドは、色素転写領域の端に沿った２つの端領域は加熱しない。
【発明の開示】
【発明が解決しようとする課題】
【０００５】
　各々の色部分がプリントヘッドにて色素転写のために使用されると、ドナーウェブには、逆方向及び順方向に回転するプリントヘッドのドナー供給スプールとドナー巻取りスプールとの間で、長手方向張力が印加される。長手方向張力は、プリントヘッドからの熱と組み合わさって、使用済みの色部分を、少なくともプリントヘッドからドナー巻取りスプールまで長さ方向に引き伸ばす。使用済みの色部分における色素転写領域はプリントヘッドによって加熱されているが、転写領域の端に沿った２つの端領域は加熱されていないので、転写領域は端領域以上に引き伸ばされる傾向にある。その結果、転写領域は２つの端領域よりも薄くなり、端領域の間に幅方向の波状又はリプル歪みを形成する。
【０００６】
　最後の線が色素転写領域から色素レシーバに転写された後に、使用済みの色部分がプリントヘッドから前進してドナー巻取りスプール上に進むと、転写領域の波状又はリプル歪みにより、一つ又はそれ以上のしわが、少なくとも転写領域の色素転写には使用されない短い立下り又は後端部に形成される。しわは、使用済み転写領域の立下り又は後端部から、プリントヘッドに前進している次の（新しい）色部分の未使用転写領域の立上り又は前端部に向けて、後向きに広がる傾向にある。しわは、張力下でプリントヘッドからドナー巻取りスプール上に巻かれるときの、使用済み転写領域と端領域との間に存在する厚さの差のために形成されるものと考えられる。
【０００７】
　使用済み色領域が張力下でドナー巻取りスプールの周りに巻かれるとき、端領域は転写領域と端領域との間に存在する厚さの相違のために、使用済み転写領域とは異なってスプール上に巻かれる。各々の付加的な色領域がドナー巻取りスプール上に巻かれると、スプール上のより厚い端領域の巻取り（コンボリューション；convolution）の重ね合わせは、より薄い転写領域の巻取りの重ね合わせよりも顕著に大きくなる。この使用済み色部分の不均一な巻取りにより、一つ又はそれ以上のしわが形成される可能性が増す。これは、ドナー巻取りスプール上でのより厚い端領域の巻取りの重ね合わせが、使用済み転写領域の張力及び歪みを増すためである。
【０００８】
　結果として生じ得る問題は、次の（新しい）色部分における未使用の転写領域の立上り又は前端部におけるしわにより、プリントヘッドがしわの上に作用するときに、色素レシーバの立上り又は前端部に望まれない線欠陥が印刷されることである。レシーバ上に印刷されるこの線欠陥は、長さ約０．５インチ（約１．２７ｃｍ）である。
【０００９】
　したがって、提示される問題は、各々の新しい色部分の未使用転写領域にしわが形成される問題を解決して、色素レシーバ上に線欠陥が印刷されないようにすることである。
【課題を解決するための手段】
【００１０】
　色素転写プリンタであって、連続した複数の色素転写領域と前記色素転写領域の各一つの端に沿った対向する長手方向端領域とを有するドナーウェブには、前記ドナーウェブが前記プリンタに送られると長手方向の張力が印加され、前記色素転写領域がプリントヘッドで加熱されるが前記端領域は加熱されないために、前記色素転写領域を前記端領域以上に引き伸ばすことができる色素転写プリンタが、以下の点に特徴を有している。
【００１１】
　ウェブ弱化アプリケータが、前記端領域の伸張に対する抵抗を前記色素転写領域に対して弱くするように位置されており、前記色素転写領域のみが加熱されるにもかかわらず、前記端領域が前記色素転写領域と実質的に同じだけ引き伸ばされることができる。
【００１２】
　端領域は、例えば、それらにミシン目を形成するか又はそれらを貫通して孔を開けることにより、あるいはそれらにスリットを形成するか又はカットしてそれらに切れ目を形成することによって、弱くすることができる。
【発明の効果】
【００１３】
　使用されている色素転写領域の端に沿った端領域が色素転写領域と実質的に同じだけ引き伸ばされると、次の未使用の転写領域に何らかのしわが形成される可能性が実質的に低減される。これより、プリンタにて、色素レシーバ上に線欠陥が印刷されなくなる。
【発明を実施するための最良の形態】
【００１４】
ドナーウェブ
　図１は、サーマルカラープリンタにて使用される典型的な多色ドナーウェブ又はリボン１を描いている。このドナーウェブ１は非常に薄く、イエロー色部分２、マゼンタ色部分３、及びシアン色部分４のような３つの異なる色部分又はパッチの反復した連続部（２つのみを示している）を有している。また、シアン色部分４の後に、透明ラミネート部（図示されていない）が存在し得る。
【００１５】
　ドナーウェブ１の連続する色部分２〜４の各一つは、色素転写印刷に使用される色素転写領域５と、その転写領域の端に沿った印刷には使用されない一対の長手方向端領域６及び７とからなっている。色素転写領域５はウェブ幅Ｗの約９５％であり、２つの端領域６及び７はそれぞれウェブ幅の約２．５％である。
【００１６】
色素転写プリンタ
　図２〜６は、既知の従来技術におけるサーマルカラープリンタ１０の動作を描いている。
【００１７】
　図２から始まって、色素レシーバシート１２、例えば、紙又は透明シートは、最初に複数の同軸ピックローラ１４（一つのみが示されている）を介してトレイ１８内のフローティングプラテン１６を離れて、一対の湾曲した長手ガイド２０及び２２によって規定されるチャンネル１９に前進する。チャンネル１９の中間の立下り（後）端センサ２４がレシーバシート１２の立下り又は後端２６を感知すると、それは、チャンネル１９内の一対の平行軸付勢ローラ２７，２７の少なくとも一つを駆動する。駆動されたローラ２７，２７は、レシーバシート１２を、チャンネル１９の先に位置するキャプスタンローラ２８とピンチローラ３０との間の隙間を通って、立上り（前）端センサ３２まで前進させる。
【００１８】
　図３において、立上り端センサ３２は色素レシーバシート１２の立上り又は前端３４を感知して、キャプスタンローラ２８を駆動し、そのローラとピンチローラ３０とによってレシーバシートを中間トレイ３６の上に前進させる。レシーバシート１２は、レシーバシートの立下り又は後端２６が湾曲ガイド２０の長手方向の延長であるヒンジ付き出口ドア３８を越えて動かされることができるように、中間トレイ３６の中に前進される。それから、図示されているように、ヒンジ付き出口ドア３８が閉じてキャプスタン及びピンチローラ２８及び３０が逆回転し、レシーバシート１２を逆方向に、すなわち後端２６を先に、部分的に巻戻しチャンバ４０の中に進ませる。
【００１９】
　プリントを作成するために、ドナーウェブ１の上の単一列の色部分２、３、及び４の色素転写領域５における様々な色の色素は、色素レシーバシート１２の上に連続的に熱転写されなければならない。これは、図４及び図５に示されている。
【００２０】
　図４において、プラテンローラ４２は、回転したカム４４及びプラテンリフト４６を介して隣接するサーマルプリントヘッド４８までシフトされる。これにより、色素レシーバシート１２とドナーウェブ１の連続する色部分２、３、及び４のうちの最初の一つとが、プラテンローラ４２とプリントヘッド４８との間に局所的に保持される。キャプスタン及びピンチローラ２８及び３０は逆回転し、再び色素レシーバシート１２を前進させて、レシーバシートを中間トレイ３６まで戻し始める。同時に、ドナーウェブ１は、長手方向張力の下で、ドナー供給スプール５０から第１の静止（固定）ウェブガイド５１、プリントヘッド４８、及び第２の静止（固定）ウェブガイド又はガイドノーズ５２を越えて、その後にドナー巻取りスプール５４の上まで前進させる。ドナー供給及び巻取りスプール５０及び５４は、ドナーウェブ１と一緒に、プリンタ１０内に装填される交換可能カートリッジ５５にて提供される。
【００２１】
　ドナーウェブ１の連続する色部分２、３、及び４の最初の一つが、図４におけるプリントヘッド４８と密着して前進されると、その色部分の色素転写領域５のカラー色素は、色素レシーバシート１２の上に熱転写される。転写領域５からレシーバシート１２への色素転写は、プリントヘッド４８の上の選択的に加熱される抵抗性要素（図示していない）のビードを介して、転写領域を横切る幅方向に線毎に行われる。プリントヘッド４８は、図５（ガイドノーズ５２及び色素レシーバシート１２は示されていない）に描かれる第１の色部分２の全幅Ｗを横切って線接触する。しかし、プリントヘッド４８は色素転写領域５を加熱するのみである。すなわち、転写領域の端に沿った２つの端領域６及び７は加熱されない。
【００２２】
　第１の色部分２は、線毎の色素転写に使用されると、図４及び図５におけるプリントヘッド４８からガイドノーズ５２を越えて移動する。それから、第１の色部分２に対する色素転写が完了すると、プラテンローラ４２は回転したカム４４及びプラテンリフト４６を介して隣接するプリントヘッド４８からシフトして、プラテンローラをプリントヘッドから引き離す。これは、図３に示されている。
【００２３】
　それから、キャプスタン及びピンチローラ２８及び３０は逆回転して、色素レシーバシート１２を逆方向に、すなわち立下り又は後端２６を先に、部分的に巻戻しチャンバ４０の中に進ませて、使用済み色部分２がドナー巻取りスプール５４の周りに巻かれる。図３を参照のこと。
【００２４】
　それから、図４におけるサイクルが、連続した色部分２、３、及び４の次の（新しい）一つについて繰り返される。
【００２５】
　連続した色部分２、３、及び４の最後の一つが使用されると、色素レシーバシート１２への色素転写が完了する。それから、図３において、プラテンローラ４２は回転したカム４４及びプラテンリフト４６を介して隣接するプリントヘッド４８からシフトして、プラテンローラをプリントヘッドから引き離し、キャプスタン及びピンチローラ２８及び３０が逆回転して、色素レシーバシート１２を逆方向に、すなわち立下り又は後端２６を先に、部分的に巻戻しチャンバ４０の中に進ませて、最後の色部分４がドナー巻取りスプール５４の周りに巻かれる。
【００２６】
　最後に、図６に示されているように、プラテンローラ４２はプリントヘッド４８から引き離されたままになり、キャプスタン及びピンチローラ２８及び３０は逆回転して、再び色素レシーバシート１２を前進させる。しかし、このとき、図４に示されるように、偏向器（ダイバータ；diverter）５６がピボット回転して、レシーバシート１２を中間トレイ３６に戻す代わりに、レシーバシート１２を出口トレイ５８へと向きを変える。一対の平行軸出口ローラ６０及び６２が、レシーバシート１２を出口トレイ５８に進ませる助けとなる。
【００２７】
従来技術の問題
　ドナーウェブ１の色部分２、３、及び４の単一列における各一つが、図４及び図５におけるプリントヘッド４８で色素転写に連続的に使用されると、張力下で長さ方向に、部分的に第２の静止（固定）ウェブガイド又はガイドノーズ５２を越えて引き伸ばされる。使用済み色部分２、３、又は４の色素転写領域５はプリントヘッド４８によって加熱されているが、転写領域の端に沿った２つの端領域６及び７は加熱されていないので、転写領域は、張力下で端領域よりも引き伸ばされる傾向がある。結果として、色素転写領域５は２つの端領域よりも薄くなり、端領域の間に幅方向の波状又はリプル歪み６２を形成する。これは、図７に示されている。
【００２８】
　最後の線が色素転写領域５から色素レシーバシート１２に転写された後に、使用済み色部分２、３、又は４がプリントヘッド４８からガイドノーズ５２を越えてドナー巻取りスプール５４の上に前進されると、転写領域における波状又はリプル歪み６２により、転写領域における少なくとも色素転写に使用されなかった短い立下り又は後端部６６に、一つ又はそれ以上の折れ目が形成される。図８を参照のこと。折れ目６４は、使用済み転写領域５の立下り又は後端部６６から、プリントヘッド４８に前進している次の（新しい）色部分２、３、又は４の未使用転写領域５の立上り又は前端部６８に、後向きに広がる傾向にある。しわ６４は、張力下でプリントヘッド４８からガイドノーズ４２を越えてドナー巻取りスプール５４の上に巻かれるときの、使用済み転写領域５と端領域６及び７との間に存在する厚さの差のために、形成されるものと考えられる。
【００２９】
　使用済み色領域２、３、又は４が張力下でドナー巻取りスプール５４の周りに巻かれるとき、２つの端領域６及び７は、転写領域と端領域との間に存在する厚さの相違のために、使用済み転写領域５とは異なってスプール上に巻かれる。図７及び９を参照のこと。各々の付加的な色領域２、３、又は４がドナー巻取りスプール５４の上に巻かれると、スプール上のより厚い端領域６の巻取り（コンボリューション；convolution）の重ね合わせは、より薄い転写領域５の巻取りの重ね合わせよりも顕著に大きくなる。図９を参照のこと。この使用済み色部分の不均一な巻取りにより、図８に示されるような、一つ又はそれ以上のしわ６４が形成される可能性が増す。これは、ドナー巻取りスプール５４の上でのより厚い端領域６及び７の巻取りの重ね合わせが、使用済み転写領域５の張力及び歪みを増すためである。
【００３０】
　結果として生じ得る問題は、次の（新しい）色部分２、３、又は４の未使用の転写領域５の立上り又は前端部６８におけるしわ６４により、プリントヘッド４８がしわの上に作用するときに、色素レシーバシート１２の立上り又は前端部７２に望まれない線欠陥７０が印刷されることである。図１０を参照のこと。色素レシーバシート１２の上に印刷されるこの線欠陥７０は、長さ約０．５インチ（約１．２７ｃｍ）である。
【００３１】
　したがって、提示される問題は、各々の新しい色部分２、３、又は４の未使用転写領域５にしわが形成される問題を解決して、色素レシーバシート１２の上に線欠陥７０が印刷されないようにすることである。
【００３２】
解決策
　ドナーウェブ１がドナー供給スプール５０から張力下で第１の固定ウェブガイド５１、プリントヘッド４８、及び第２の固定ウェブガイド５２を越えてドナー巻取りスプール５４の上に進むとき、（図７に示されるように）色素転写プリンタ１０におけるドナーウェブ１を横切る波状又はリプル歪み６２が形成される可能性を顕著に減少させることができると判定されている。これは、連続した端領域６及び７の伸張に対する抵抗を、連続した色素転写領域２、３、及び４に対して弱くして、色素転写領域のみがプリントヘッド４８によって加熱されるにもかかわらず、端領域が色素転写領域と実質的に同じだけ引き伸ばされることができるようにすることによって、達成される。波状又はリプル歪み６２がドナーウェブ１を横切って形成されることを防ぐと、図８に示されるように、しわ６４が、転写領域５の色素転写に使用されなかった短い立下り又は後端部６６に形成されなくなる。これより、色素レシーバシート１の上に線欠陥７０が印刷される可能性を顕著に取り除くことができる。
【００３３】
　図１１は、プリンタ１０における第２の固定ウェブガイド５２に対する改良である、非固定ウェブガイド７４を描いている。この改良されたウェブガイド７４は、プリンタ１０内の第２の固定ウェブガイド５２を置き換えることを意図している。
【００３４】
　この改良されたウェブガイド７４は、ドナーウェブ１を横切った幅方向に広がるように位置し、ドナーウェブの連続した端領域６及び７に対するウェブ弱化アプリケータとして作用する。ウェブガイド７４は、ドナーウェブ１の幅Ｗよりもわずかに大きい長さＬを有する回転的に支持された円筒ローラ７６である。ローラ７６に備わる一対・同一のウェブ接触部７８及び８０は、各々ドナーウェブ１の端領域６及び７の個々の幅Ｙと同じ幅Ｘを有している。図１及び１１を参照すること。
【００３５】
　ドナーウェブ１が張力下でローラ７６を越えて進むと、ウェブ接触部７８及び８０は、ドナーウェブの連続した端領域６及び７に接触して同様に回転し、端領域の各一つに、ドナー巻取りスプール５４の周りに巻かれる前に連続的にミシン目を付けるか又は孔を開ける。これにより、連続した端領域６及び７の伸張に対する抵抗を、連続した色素転写領域２、３、及び４に対して弱くして、端領域が色素転写領域と実質的に同じだけ引き伸ばされることを可能にしている。
【００３６】
　ウェブ接触部７８及び８０は、ドナーウェブ１の連続した端領域６及び７にミシン目を付けるか又は孔を開けてそこを弱くするために、対角方向に節が設けられているように描かれている。しかし、節を設けて端領域６及び７にミシン目を付けるか又は孔を開ける代わりに、ウェブ接触部７８及び８０は、端領域にミシン目を付けるか又は孔を開けるか、あるいはスリットを設けるか又は切り込みを付ける小さな指向突起、小さな鋭い点、又はその他の適切な手段を有し得ることが、当業者には理解されるであろう。これに関連して、図１２は、色素転写領域５と端領域６及び７とを含むドナーウェブ１のウェブ部を示し、伸張に対する抵抗を弱めるためにミシン目が付けられたか又は孔８２が貫通された端領域を描いている。そして図１３は、図１２に示されたウェブ部を示しているが、伸張に対する抵抗を弱めるためにスリットが付けられたか又は切り込み８４が設けられた端領域６及び７を描いている。
【００３７】
　なお、ウェブ接触部７８及び８０の間に位置するローラ７６の中間部８６は、ウェブ接触部に比べて滑らかである。
【図面の簡単な説明】
【００３８】
【図１】連続した色素転写領域とその色素転写領域の各一つの端に沿った対向する端領域とを含むドナーウェブの平面図である。
【図２】部分的に断面になった色素転写プリンタの正面断面図であり、プリンタ動作中の開始サイクルを示す。
【図３】図２の色素転写プリンタの正面断面図であり、プリンタ動作中の他のサイクルを示す。
【図４】図２の色素転写プリンタの正面断面図であり、プリンタ動作中の他のサイクルを示す。
【図５】色素転写プリンタの印刷又は色素転写ステーションの斜視図である。
【図６】図２の色素転写プリンタの正面断面図であり、プリンタ動作中の最後のサイクルを示す。
【図７】色素転写領域が、その色素転写領域の端に沿った２つの端領域よりも薄く引き伸ばされているときのドナーウェブの断面図であり、端領域の間の幅方向の波状又はリプル歪みを示す。
【図８】ドナーウェブの平面図であり、使用済み転写領域の立下り又は後端部から次の（新しい）色部分における未使用の転写領域の立上り又は前端部に向けて後向きに広がったしわを示す。
【図９】色素転写プリンタにおける従来技術のドナー巻取りスプールの断面図である。
【図１０】色素レシーバシートの平面図であり、レシーバシートの立上り又は前端部に印刷された線欠陥を示す。
【図１１】プリンタ内の現存するウェブガイドに代わって色素転写プリンタにて使用される改良されたウェブガイド（又はウェブ弱化アプリケータ）の斜視図であり、本発明の好適な実施形態に従って、端領域の伸張に対する抵抗を色素転写領域に対して弱くして、端領域が色素転写領域と実質的に同じだけ引き伸ばされるようにしたものである。
【図１２】色素転写領域とその色素転写領域の端に沿った対向する端領域とを含むドナーウェブのウェブ部の平面図であり、２つの端領域に、伸張に対するそれらの抵抗を弱くするためにミシン目が付けられている様子を示す。
【図１３】図１２のウェブ部の平面図であるが、伸張に対する抵抗を弱くするためにスリット又は切れ目が形成された２つの端領域を示す。
【符号の説明】
【００３９】
　１　ドナーウェブ、２　シアン色部、３　マゼンタ色部、４　イエロー色部、５　色素転写領域、６　長手方向端領域、７　長手方向端領域、Ｗ　ウェブ幅、１０　サーマルプリンタ、１２　色素レシーバシート、１４　ピックローラ、１６　プラテン、１８　トレイ、１９　チャンネル、２０　長手方向ガイド、２２　長手方向ガイド、２４　立下り端センサ、２６　立下り端、２７　付勢ローラ、２８　キャプスタンローラ、３０　ピンチローラ、３２　立上り端センサ、３４　立上り又は前端、３６　中間トレイ、３８　出口ドア、４０　巻戻しチャンバ、４２　プラテンローラ、４４　カム、４６　プラテンリフト、４８　プリントヘッド、５０　ドナー供給スプール、５１　第１の静止（固定）ウェブガイド、５２　第２の静止（固定）ウェブガイド又はガイドノーズ、５４　ドナー巻取りスプール、５５　カートリッジ、５６　偏向器、５８　出口トレイ、６０　出口ローラ、６１　出口ローラ、６２　波状又はリプル歪み、６４　しわ、６６　立下り又は後端部、６８　立上り又は前端部、７０　線欠陥、７２　立上り又は前端部、７４　改良されたウェブガイド又はウェブ弱化アプリケータ、７６　円筒ローラ、Ｌ　長さ、７８　ウェブ接触部、８０　ウェブ接触部、Ｘ　幅、Ｙ　幅、８２　孔、８４　切り込み、８６　中間部。
【図１】
2004098680.tif 000003
【図２】
2004098680.tif 000004
【図３】
2004098680.tif 000005
【図４】
2004098680.tif 000006
【図５】
2004098680.tif 000007
【図６】
2004098680.tif 000008
【図７】
2004098680.tif 000009
【図８】
2004098680.tif 000010
【図９】
2004098680.tif 000011
【図１０】
2004098680.tif 000012
【図１１】
2004098680.tif 000013
【図１２】
2004098680.tif 000014
【図１３】
2004098680.tif 000015